(57)【要約】【課題】  ゴルフスイングの際の正しい体重のシフトを達成する上でゴルファーに役立つ脚位置決め及び訓練器具を提供する。【解決手段】  この器具（10）は、２つの平面内で調整可能なゴルファーの後足のための足ベースプレート（20）が回転自在に取り付けられたプラットホーム（12）を有し、足ベースプレートは、足及び足首に対し受入れ関係をなして上方に延びるセグメント（24）を有し、このセグメントは、足ベースプレートに直角な平面に対して角度調整可能である。ユーザにより加えられる力を測定する歪ゲージ（44）がセグメントに作動的に取り付けられ、表示器（28）が歪ゲージに対して作動的な連結状態で設けられ、それによりユーザがゴルフスイング中に加えられる力の表示を見ることができる。【選択図】      図１
2006167397.tif 000002
【特許請求の範囲】
【請求項１】
ゴルファー用の脚位置決め及び訓練器具であって、頂面及び底面を備えたプラットホームと、前記プラットホームの前記頂面に回転自在に取り付けられた足ベースプレートと、前記足ベースプレートに取り付けられた足首支持体とを有し、前記足首支持体は、前記足ベースプレートから上方に延びるセグメントを有し、前記足首支持体の前記セグメントは、前記プラットホームの前記頂面に実質的に垂直な平面に対して角度調整可能であり、前記器具は、前記足首支持体の前記セグメントに作動的に取り付けられ、前記足首支持体の前記セグメントに加わる力を検出できる歪ゲージと、前記歪ゲージに作動的に連結された表示器とを更に有し、前記表示器は、前記器具のユーザに見えるように前記プラットホームの前記頂面上に設けられ、ユーザにより前記足首支持体の前記セグメントに加えられた力の表示を観察できるようになっていることを特徴とする器具。
【請求項２】
前記足首支持体の前記セグメントは、内面及び外面を有し、前記歪ゲージは、前記歪ゲージが前記足首支持体の前記セグメントの前記内面に加えられた力を検出できるよう前記足首支持体の前記セグメントの前記外面上に設けられていることを特徴とする請求項１記載の器具。
【請求項３】
前記足ベースプレートに対し係合関係をなして前記プラットホームの前記頂面上に設けられていて、前記足ベースプレートをこれが前記プラットホームの前記頂面に対して回転しないよう固定できる足ベースプレートロックを更に有していることを特徴とする請求項２記載の器具。
【請求項４】
前記足ベースプレートロックは、解除可能であることを特徴とする請求項３記載の器具。
【請求項５】
前記プラットホームは、矩形であることを特徴とする請求項４記載の器具。
【請求項６】
前記矩形の縁部に対し間隔を置いた関係をなして前記プラットホームを貫通して形成された少なくとも１つの孔を更に有していることを特徴とする請求項５記載の器具。
【請求項７】
前記足ベースプレートは、前記矩形の短辺のうちの一方に実質的に隣接して前記プラットホームを前記頂面に取り付けられていることを特徴とする請求項５記載の器具。
【発明の詳細な説明】
【技術分野】
【０００１】
本発明は、ゴルフスイングの際の正しい体重のシフトを達成する上でゴルファーに役立つ脚位置決め及び訓練器具に関する。本発明の器具は、回転自在な足ベースプレートが取り付けられたプラットホームを有する。足首支持体が、足ベースプレートから上方に延びており、この足首支持体は、足ベースプレートに垂直な平面に対して角度調整可能である。足ベースプレート及び足首支持体は、ゴルファーがボールにアドレスするために立つ際、ゴルファーの後足及び足首を受け入れる。歪ゲージが、足首支持体に作動的に取り付けられ、この歪ゲージは、ゴルフのスイング中、ゴルファーによって足首支持体に加えられる圧力に反応する。歪ゲージは、ゴルフスイング中及びゴルフスイング後にゴルファーに見えるようにプラットホームに取り付けられた表示器に作動的に接続されている。歪ゲージを表示器上の一連の灯に合わせて校正することにより、ゴルフスイングの際に足首支持体に加えられる圧力の相対的大きさを観察し、体重のシフトがゴルフボールを正しく打つ上で適当であるように必要な調整を行うことができる。
【背景技術】
【０００２】
世界中においてゴルフの試合の人気が非常に高いという状況から、ゴルファーに正しいスイングを教えたり正しいスイングを繰り返すようゴルファーを訓練する際に役立つものとして販促されている数千ではないとしても文字通り数百種類のゴルフ訓練補助器具を容易に見出すことができる。かかる器具は、小売店やプロショップで容易に入手でき、多数の従来技術の器具がこれまでの特許文献において教示されている。器具の中には、ゴルファーによって実際に着用されているものがあれば、ゴルファーがゴルフスイングを練習したり改良している間、ゴルファーが中に入って立つ殆ど「ケージ」と言ってよいものとして説明されているものもある。
【発明の開示】
【発明が解決しようとする課題】
【０００３】
多量のかかる器具が従来技術において知られているにもかかわらず、簡単であり、容易に持ち運びでき、耐久性があり、しかも事実上瞬時のフィードバックをユーザにもたらすことができる器具が要望されたままである。
【課題を解決するための手段】
【０００４】
本発明は特に、ゴルファーの後足及び後脚の適正な位置決めに取り組むと共にゴルフスイング中における後脚への体重のシフトの目に見える即座の表示をもたらす。体重のシフトが過剰であれば、可視表示器がこの情報をゴルファーに提供して補正を行うことができるようにする。体重シフトが正しいゴルフスイングを得る上で適正であれば、その効果に対応した即座に見える指標が表示され、それによりゴルファーが正しい体重シフトを完成させるために自分の練習スイングを続行できるようにする。
【０００５】
本発明は、ゴルファー用の脚位置決め及び訓練器具であって、これは頂面及び底面を備えたプラットホームを有する。足ベースプレートが、プラットホームの頂面に回転自在に取り付けられ、足首支持体が、足ベースプレートに取り付けられている。足首支持体は、足ベースプレートから上方に延びるセグメントを有し、このセグメントは、プラットホームの頂面に実質的に垂直な平面に対して角度調整可能である。歪ゲージが、足首支持体のその直立したセグメントに作動的に取り付けられていて、ゴルファーによりこれに加えられた力が歪ゲージにより検出されて測定されるようになっている。表示器が、器具のユーザに見えるようプラットホームの頂面上に位置決めされた状態で歪ゲージに作動的に連結されている。表示器は、複数の灯を有し、これら灯のうち１以上が、足首支持体の直立セグメントを介して歪ゲージに加えられた力に応じて照明されることになる。
したがって、本発明は、以下に説明する構成で例示される構造、要素の組み合わせ及び部品の配列に関する特徴を有し、本発明の範囲は、特許請求の範囲の記載に基づいて定められる。
【０００６】
本発明の特徴及び目的についてより深い理解を得るために、添付の図面と関連して行われる以下の詳細な説明を参照すべきである。
【発明を実施するための最良の形態】
【０００７】
図面の幾つかの図において同一の参照符号は、同一の部品を示している。
図１を参照すると、本発明の脚位置決め及び訓練器具が全体を符号１０で示されている。器具１０は、全体を符号１２で示されたプラットホームを有し、このプラットホームは形状が実質的に矩形であり、頂面１４及び底面１６を有している。足ベースプレート２０が、例えばピボットピン１８により頂面１４に回転自在に取り付けられている。全体を符号２２で示す足首支持体が、足ベースプレート２０に取り付けられており、この足首支持体は、足ベースプレート２０から上方に延びるセグメント２４を有している。また、図１には、器具１０を移送する際の便利な取っ手２６、以下に詳細に説明する表示器２８及びこれまた以下に詳細に説明する足ベースプレートロック３０が見える。
【０００８】
図２及び図３を参照すると、図２は、器具１０の平面図であり、図３は、器具１０の底面図であり、底面１６を示している。図２では、ピボットピン１８回りの足ベースプレート２０の回転は、両方向を指し示す矢印Ａによって示されている。この図では、足ベースプレートロック３０がこの好ましい実施形態では、ロックタブ３２を有し、このロックタブ３２が、ロックタブ３２に対して作動関係をなして足ベースプレート２０のセグメント上に形成されたロック戻り止めと解除自在に係合できることも又分かる。ロックタブ３２を押し下げることにより、矢印Ａにより示されるように足ベースプレート２０の回転が可能になり、ロックタブ３２を解除することにより、ロックタブ３２とロック戻り止め３４のうちの１以上との係合により足ベースプレート２０が定位置に効果的に「ロック」されるようになる。
【０００９】
図１と図２の両方を考慮すると、足支持体２２のセグメント２４が内面３６及び外面３８を有していることも又分かる。図示していないが、ユーザの後足が足及び足首が部分的に足首支持体２２の内面３６と接触するように足ベースプレート２０上に置かれることが理解されるべきである。
【００１０】
図４〜図７を参照すると、器具１０の側面図及び端面図が示されている。先ず最初に図７の端面図を参照すると、器具１０は、足首支持体２２のセグメント２４をプラットホーム１２の頂面１４に実質的に垂直な平面に対して角度調整できるようにする手段を更に有している。この角度調整は、図４及び図５において両方向を指し示す矢印Ｂによって示されている。調整は、調整ノブ４０を回してノブ４０に取り付けられているねじ（図示せず）が、図７に示すように外面３８の高さに沿って延びているストリップ４２に圧接し又はこれから遠ざかり、それにより結果的に矢印Ｂによって示されるように足首支持体２２の角度運動が生じるようにすることにより達成される。この調整は、ピボットピン１８回りに行われる回転自在な調整と同様、ユーザの足とベースプレート２０及び足首支持体２２との正しい係合を保証する。
【００１１】
また、図７では歪ゲージ４４が見える。歪ゲージ４４は好ましくは、足首支持体２２の外面３８上のストリップ４２に取り付けられていて、ゴルフスイングを行っている間、器具１０のユーザにより足首支持体２２に加えられた力を受けてこれを測定するようになっている。この力は、ゴルフスイングを行っているとき、ユーザの足及び足首により足首支持体２２の内面３６に加えられた圧力により歪ゲージ４４に伝えられる。歪ゲージ４４は、周知であって市場で容易に入手できる種々のかかる計器から選択された任意のものであってよい。
【００１２】
歪ゲージ４４の出力は、導体（図示せず）を介して表示器２８に送られる。図２に示すように、表示器は、プラットホーム１２の頂面１４上に設けられていて、ゴルフスイングを練習しているときに器具１０のユーザに容易に見えるようになっている。表示器２８は好ましくは、複数の表示灯４６から成っている。ユーザが自分の後足がベースプレート２０上に且つ足首支持体２２に隣接して正しく位置決めされた状態で器具１０上に正しく位置すると少なくとも１つの灯４６が照明されるように回路が構成されている。ゴルフスイング中、体重は、ユーザの後足にシフトし、それにより内面３６への圧力が生じる。この圧力は、歪ゲージ４４によって検出され、信号が表示器２８に送られ、それにより１以上の追加の灯４６が照明される。好ましい実施形態では、第１の一連の灯４６は、好ましくは緑色であり、第２の一連の灯４６は、黄色である。灯４６のうち１以上は赤色であるのがよい。使用の際、緑色の灯を照明するのに十分なゴルフスイング中の体重シフトは、ゴルフスイング中の正しい体重シフトを表している。１以上の黄色の灯の照明は、より大きな体重シフトを表すが、依然として合格レベルである。体重シフトが大き過ぎると、結果的に内面３６に加わる圧力が非常に高くなり、これは１以上の赤色灯の照明により不合格レベルとして表示されることになる。当然のことながら、本発明の範囲は、任意特定の数の灯には限定されず、これらの色にも限定されないことは理解されるべきである。これとは異なり、本発明の器具の構造は、ユーザのスイングのバランス、体重シフト及び脚の運動について比較的瞬時のフィードバックをユーザに提供するようになっている。この好ましい実施形態では、スイングを行うたびにその後、表示灯４６は、ユーザがこれらの状態及び歪ゲージ４４によって測定されたスイングの体重シフト特性を観察するのに十分な時間の間、照明状態のままである。次に、表示器２８及び歪ゲージ４４が次のスイングに備えてリセットされる回路が構成されている。器具１０は、電池式のものであってもよく、或いは直接電源に接続されるものであってもよい。電気結線及び回路構成は、技術現状のものであり、容易に入手できる。最も多い例としては、好ましい実施形態は、器具１０の携帯性及び実用性を高めるよう電池式のものである。
【００１３】
かくして、上述の記載から明らかになった目的のうち上記目的は、効果的に達成され、本発明の範囲から逸脱することなく上記の例に関して或る変更を行うことができるので、上記説明に含まれ又は添付の図面に示された全ての技術的事項は例示であって、本発明を限定するものではないことは理解されよう。
また、特許請求の範囲は、説明した本発明の属に関する特徴及び種に関する特徴の全て並びに文言上特許請求の範囲に含まれると考えられる本発明の範囲についての全ての記載を包含するものであることも又理解されるべきである。
【図面の簡単な説明】
【００１４】
【図１】本発明の脚位置決め及び訓練器具の斜視図である。
【図２】図１に示す器具の平面図である。
【図３】図１に示す器具の底面図である。
【図４】図２に示す器具の右側面図である。
【図５】図２に示す器具の左側面図である。
【図６】図２に示す器具の下から見た端面図である。
【図７】図２に示す器具の上から見た端面図である。
【符号の説明】
【００１５】
１０  脚位置決め及び訓練器具
１２  プラットホーム
１４  頂面
１６  底面
１８  ピボットピン
２０  足ベースプレート
２２  足首支持体
２８  表示器
３０  ロック
３２  ロックタブ
４０  調整タブ
【図１】
2006167397.tif 000003
【図２】
2006167397.tif 000004
【図３】
2006167397.tif 000005
【図４】
2006167397.tif 000006
【図５】
2006167397.tif 000007
【図６】
2006167397.tif 000008
【図７】
2006167397.tif 000009
【外国語明細書】
2006167397.tif 000010
2006167397.tif 000011
2006167397.tif 000012
2006167397.tif 000013
2006167397.tif 000014
2006167397.tif 000015
2006167397.tif 000016
2006167397.tif 000017
2006167397.tif 000018
2006167397.tif 000019
2006167397.tif 000020
2006167397.tif 000021
2006167397.tif 000022
2006167397.tif 000023
2006167397.tif 000024
2006167397.tif 000025
2006167397.tif 000026
2006167397.tif 000027
2006167397.tif 000028
2006167397.tif 000029